(57)【要約】【課題】タンク本体内の洗浄水の水面における揺れの発生を抑制する。【解決手段】実施形態に係るタンク装置は、タンク本体と、給水装置とを備える。タンク本体は、便器本体に供給される洗浄水を貯留する。給水装置は、タンク本体に洗浄水を供給する給水口がタンク本体の底面付近に配置される。また、タンク本体は、上方側壁と、下方側壁とを備える。下方側壁は、上方側壁の下方に設けられるとともに、底面側から上方側壁へ向かうにつれて上方側壁より外方へ傾斜するように形成される。【選択図】図２
2020026689.tif 000002
【特許請求の範囲】
【請求項１】
便器本体に供給される洗浄水を貯留するタンク本体と、
前記タンク本体に洗浄水を供給する給水口が前記タンク本体の底面付近に配置される給水装置と
を備え、
前記タンク本体は、
上方側壁と、
前記上方側壁の下方に設けられるとともに、前記底面側から前記上方側壁へ向かうにつれて前記上方側壁より外方へ傾斜するように形成される下方側壁と
を備えることを特徴とするタンク装置。
【請求項２】
前記下方側壁は、
前記タンク本体内の死水水位以下の位置に設けられること
を特徴とする請求項１に記載のタンク装置。
【請求項３】
前記タンク本体は、
前記上方側壁および前記下方側壁の少なくともいずれかを覆うように設けられる外壁
を備えることを特徴とする請求項１または２に記載のタンク装置。
【請求項４】
前記下方側壁は、
前記上方側壁の下方に連続して設けられる第１下方側壁と、
前記第１下方側壁の下方に設けられるとともに、前記底面側から前記第１下方側壁へ向かうにつれて前記第１下方側壁より外方へ傾斜するように形成される第２下方側壁と
を備えることを特徴とする請求項１〜３のいずれか一つに記載のタンク装置。
【発明の詳細な説明】
【技術分野】
【０００１】
開示の実施形態は、タンク装置に関する。
【背景技術】
【０００２】
従来、水洗大便器に使用される洗浄水を貯えるタンク装置が知られている（例えば特許文献１参照）。上記したタンク装置にあっては、給水装置がタンク本体内に配置され、かかる給水装置からタンク本体内へ洗浄水を供給するように構成される。
【０００３】
また、従来技術において、給水装置は、タンク本体の底面付近に配置された給水口から洗浄水を供給し、タンク本体内の水位が上昇して所定の水位に到達すると、洗浄水の供給を停止（止水）している。
【先行技術文献】
【特許文献】
【０００４】
【特許文献１】特開２０１３−９６１８７号公報
【発明の概要】
【発明が解決しようとする課題】
【０００５】
しかしながら、従来技術にあっては、給水口がタンク本体の底面付近に配置されるため、例えば、給水口から供給された洗浄水がタンク本体の側壁に衝突し、かかる衝突の影響によってタンク本体内の水面に比較的大きな揺れが発生するおそれがある。
【０００６】
タンク本体内の水面に比較的大きな揺れが発生すると、例えば、給水装置は、タンク本体内の水位を精度良く所定の水位で止水することができず、タンク本体内において所望の水量を確保できないおそれがある。このように、従来技術には、タンク本体内の洗浄水の水面における揺れの発生を抑制するという点で改善の余地があった。
【０００７】
実施形態の一態様は、タンク本体内の洗浄水の水面における揺れの発生を抑制することができるタンク装置を提供することを目的とする。
【課題を解決するための手段】
【０００８】
実施形態の一態様に係るタンク装置は、便器本体に供給される洗浄水を貯留するタンク本体と、前記タンク本体に洗浄水を供給する給水口が前記タンク本体の底面付近に配置される給水装置とを備え、前記タンク本体は、上方側壁と、前記上方側壁の下方に設けられるとともに、前記底面側から前記上方側壁へ向かうにつれて前記上方側壁より外方へ傾斜するように形成される下方側壁とを備えることを特徴とする。
【０００９】
これにより、タンク本体内の洗浄水の水面における揺れの発生を抑制することができる。すなわち、下方側壁を備えることで、タンク本体の底面付近から流れ出た洗浄水は、下方側壁に沿ってタンク本体の上方へ流れることとなる。言い換えると、洗浄水は、側壁に強く衝突しにくく、また、上方へ向けてスムーズに流れるようにすることができる。これにより、タンク本体内の洗浄水の水面における揺れの発生を抑制することができる。
【００１０】
また、前記下方側壁は、前記タンク本体内の死水水位以下の位置に設けられることを特徴とする。
【００１１】
これにより、タンク本体の大きさを変更することなく、水面における揺れの発生を抑制することができる。すなわち、タンク本体において、死水水位以下の領域の洗浄水は、便器洗浄に用いられないことから、例えば、下方側壁を設けて水量が減っても、便器洗浄への影響はほとんどなく、よってタンク本体の大きさを変更することなく、水面における揺れの発生を抑制することができる。
【００１２】
また、前記タンク本体は、前記上方側壁および前記下方側壁の少なくともいずれかを覆うように設けられる外壁を備えることを特徴とする。
【００１３】
これにより、タンク本体において、デザイン性が低下することを抑制することができる。
【００１４】
また、前記下方側壁は、前記上方側壁の下方に連続して設けられる第１下方側壁と、前記第１下方側壁の下方に設けられるとともに、前記底面側から前記第１下方側壁へ向かうにつれて前記第１下方側壁より外方へ傾斜するように形成される第２下方側壁とを備えることを特徴とする。
【００１５】
これにより、タンク本体内の洗浄水の水面における揺れの発生をより抑制することができる。すなわち、第１、第２下方側壁を備えることで、タンク本体の底面付近から流れ出た洗浄水は、第１、第２下方側壁に沿ってタンク本体の上方へ流れることとなる。言い換えると、洗浄水は、側壁に強く衝突しにくく、また、上方へ向けてよりスムーズに流れるようにすることができる。これにより、タンク本体内の洗浄水の水面における揺れの発生をより抑制することができる。
【発明の効果】
【００１６】
実施形態の一態様によれば、タンク本体内の洗浄水の水面における揺れの発生を抑制することができる。
【図面の簡単な説明】
【００１７】
【図１】図１は、実施形態に係るタンク装置を備えた水洗大便器の斜視図である。
【図２】図２は、図１のII−II線断面図である。
【図３】図３は、下方側壁付近を拡大して示す図である。
【図４】図４は、変形例に係る下方側壁付近を拡大して示す図である。
【発明を実施するための形態】
【００１８】
以下、添付図面を参照して、本願の開示するタンク装置の実施形態を詳細に説明する。なお、以下に示す実施形態によりこの発明が限定されるものではない。
【００１９】
＜１．水洗大便器＞
先ず、実施形態に係るタンク装置を備えた水洗大便器について図１を参照して説明する。図１は、実施形態に係るタンク装置を備えた水洗大便器の斜視図である。なお、図１では、説明を分かり易くするため、鉛直上向きを正方向とするＺ軸を含む３次元の直交座標系を図示している。かかる直交座標系は、他の図においても図示する場合がある。
【００２０】
また、以下の説明では、直交座標系におけるＸ軸正方向を「右方」、Ｘ軸負方向を「左方」、Ｙ軸正方向を「前方」、Ｙ軸負方向を「後方」、Ｚ軸正方向を「上方」、Ｚ軸負方向を「下方」と記載する場合がある。なお、図１および図２以降に示す図は、いずれも模式図である。
【００２１】
図１に示すように、水洗大便器１は、便器本体（以下「便器」と記載する場合がある）２と、タンク装置１０とを備える。便器２は、ボウル部３と、リム部４と、トラップ部５と、導水路６とを備える。
【００２２】
ボウル部３は、汚物を受けることが可能なボウル状に形成される。リム部４は、ボウル部３の上縁に形成される。かかるリム部４の上部には、例えば便座（図示省略）が設けられる。
【００２３】
また、リム部４には、導水路６が接続される。導水路６は、第１吐水口６ａと、第２吐水口６ｂとを備える。導水路６には、便器洗浄が行われる場合に、タンク装置１０の排水口１３から排出される洗浄水が流入する。そして、導水路６の洗浄水は、第１、第２吐水口６ａ，６ｂを介してボウル部３へ吐出され、旋回しながらボウル部３を洗浄する。なお、導水路６の吐水口の数は２つに限定されるものではなく、１つまたは３つ以上であってもよい。
【００２４】
トラップ部５は、ボウル部３の底部に接続される。トラップ部５には、入口部５ａが設けられ、ボウル部３から入口部５ａへ流入される洗浄水は、トラップ部５およびトラップ部５に接続される排水管（図示省略）を介して排水される。なお、図示は省略するが、トラップ部５には、所定量の洗浄水が溜まって封水として機能することで、排水管からの臭気等がボウル部３側へ逆流することを防止する。
【００２５】
＜２．タンク装置＞
タンク装置１０は、便器２の後方（Ｙ軸負方向）上部に設置され、便器２に洗浄水を供給する。例えば、タンク装置１０は、タンク本体２０と、蓋部３０とを備える。タンク本体２０は、上面が開口された直方体状の容器であり、洗浄水を貯留する。タンク本体２０の底面２１には、上記した排水口１３が設けられる。なお、タンク本体２０の詳しい構成については、図２を参照して後述する。
【００２６】
蓋部３０は、タンク本体２０の上面を全体的に覆うように配置され、タンク本体２０の上部に着脱自在に取り付けられる。蓋部３０の上面には、押しボタン式の手動操作装置５０が設けられる。手動操作装置５０は、使用者が操作ボタン５１を押下することで、便器２の洗浄が行われるが、これについては図２を参照して後述する。
【００２７】
なお、上記したタンク本体２０、蓋部３０および便器２は、例えば陶器製であるが、これに限定されるものではない。
【００２８】
また、水洗大便器１は、サイホン作用を利用してボウル部３内の汚物を引き込んでトラップ部５から排出する、所謂サイホン式である。なお、水洗大便器１は、サイホン式に限定されるものではなく、例えば、ボウル部３内の洗浄水の落差による流水作用で汚物を押し流す、所謂洗い落し式であってもよい。また、図１では、床置き式の水洗大便器１を示したが、これに限定されるものではなく、壁掛け式であってもよい。
【００２９】
次に、タンク装置１０の構成について図２を参照して詳しく説明する。図２は、図１のII−II線断面図である。
【００３０】
図２に示すように、タンク装置１０は、給水装置４０と、手動操作装置５０と、排水弁装置６０と、オーバーフロー管７０とを備え、これら（手動操作装置５０については一部）はタンク本体２０内に配置されて収容される。
【００３１】
給水装置４０は、タンク本体２０内へ洗浄水を供給する。例えば、給水装置４０は、給水管４１と、給水バルブ４２と、フロート４３と、給水口４４とを備える。給水管４１は、例えば外部の給水源（図示省略）に接続され、かつ、タンク本体２０の底面２１から上方へ延在するようにして底面２１に固定される。正確には、給水管４１を含む給水装置４０は、下端側がタンク本体２０の底面２１に形成された凹部２５に固定され、凹部２５から上方へ向けて延在するように配置される。
【００３２】
給水バルブ４２は、給水管４１の上部に取り付けられる。給水バルブ４２は、給水管４１から供給される洗浄水のタンク本体２０内への給水と止水とを切り替える。フロート４３は、タンク本体２０内の水位の変動に応じて上下動して、給水バルブ４２による給水と止水とを切り替える。
【００３３】
給水口４４は、タンク本体２０に洗浄水を供給する部位である。例えば、給水口４４は、給水管４１の下端の外周側に複数形成される。かかる給水管４１の下端は、上記したように、タンク本体２０の底面２１の凹部２５に固定されることから、給水口４４は、タンク本体２０の底面２１付近に配置される、正確には、底面２１の凹部２５の中に配置される。そして、給水口４４は、給水バルブ４２を通過した洗浄水をタンク本体２０内へ供給する、正確には、タンク本体２０の底面２１付近（より正確には凹部２５の中）へ供給する。
【００３４】
上記のように構成された給水装置４０の動作について説明すると、例えば、給水装置４０にあっては、排水弁装置６０による排水口１３の開放によってタンク本体２０内の洗浄水が便器２（図１参照）へ排水されると、洗浄水の水位が低下してフロート４３が下降する。給水装置４０では、フロート４３が下降することで、給水バルブ４２が開いて給水口４４からの給水が開始される。
【００３５】
便器洗浄が終わって排水弁装置６０によって排水口１３が閉止され、また、給水口４４からの給水が継続されると、タンク本体２０内の水位が上昇してフロート４３が上昇する。そして、給水装置４０は、タンク本体２０内の洗浄水の水位が、所定の水位ＷＬ１に到達すると、上昇したフロート４３によって給水バルブ４２を閉鎖して給水口４４からの給水を止める、すなわち、止水する。これにより、便器洗浄後のタンク本体２０内の洗浄水の水位は、所定の水位ＷＬ１（「止水水位ＷＬ１」ともいう）に維持されることとなる。
【００３６】
手動操作装置５０は、上記したように、押しボタン式の操作装置である。手動操作装置５０は、操作ボタン５１と、押下部材５２とを備える。例えば、操作ボタン５１は、小洗浄ボタン５１ａと、大洗浄ボタン５１ｂとを備える。また、押下部材５２は、小洗浄押下部材５２ａと、大洗浄押下部材５２ｂとを備える。
【００３７】
小洗浄押下部材５２ａは、上端が小洗浄ボタン５１ａに接続される一方、下端が排水弁装置６０の排水弁６１に接続され、小洗浄ボタン５１ａの操作に応じて排水弁６１を引き上げ可能に構成される。同様に、大洗浄押下部材５２ｂは、上端が大洗浄ボタン５１ｂに接続される一方、下端が排水弁６１に接続され、大洗浄ボタン５１ｂの操作に応じて排水弁６１を引き上げ可能に構成される。
【００３８】
排水弁装置６０は、上記した排水弁６１を備える。排水弁６１は、排水口１３に設けられるとともに、上下動可能に構成される。従って、排水弁装置６０にあっては、小洗浄ボタン５１ａが操作されると、小洗浄押下部材５２ａを介して排水弁６１が引き上げられて排水口１３を開放し、かかる排水口１３の開放により、タンク本体２０内の洗浄水が便器２（図１参照）へ排水される、すなわち、便器洗浄が行われる。
【００３９】
同様に、排水弁装置６０にあっては、大洗浄ボタン５１ｂが操作されると、大洗浄押下部材５２ｂを介して排水弁６１が引き上げられて排水口１３を開放し、かかる排水口１３の開放により、タンク本体２０内の洗浄水が便器２へ排水される。
【００４０】
なお、大洗浄ボタン５１ｂの操作による排水弁６１の引き上げ量が、小洗浄ボタン５１ａの操作による排水弁６１の引き上げ量より大きくなるように設定される。すなわち、大洗浄ボタン５１ｂの操作による便器洗浄で使用される洗浄水の水量が、小洗浄ボタン５１ａの操作による便器洗浄で使用される洗浄水の水量より多くなるように設定される。
【００４１】
図２においては、使用される洗浄水の水量が多い、大洗浄ボタン５１ｂの操作による便器洗浄が完了して、排水弁６１が排水口１３を閉止したときのタンク本体２０内の水位を符号ＷＬ２で示した。かかる水位ＷＬ２を、以下では「死水水位ＷＬ２」と記載する場合がある。なお、死水水位ＷＬ２は、タンク本体２０において、便器洗浄によって水位が低下するときの下限の水位であるともいえる。
【００４２】
なお、本実施形態では、押しボタン式の手動操作装置５０を用いて便器洗浄が行われるようにしたが、これに限定されるものではない。すなわち、例えば、図示しない操作レバーの回転操作によってワイヤ巻取装置が動作し、ワイヤで排水弁６１を引き上げることで便器洗浄が行われるようにしてもよい。さらに、例えば、モータなどの電動駆動部を含む電動駆動ユニットを排水弁装置６０に接続し、リモコン等から出力される便器洗浄の開始を示す信号に応じて排水弁装置６０を動作させることで、便器洗浄が行われるようにしてもよい。
【００４３】
オーバーフロー管７０は、タンク本体２０内において排水弁装置６０の側方に設けられる、言い換えると、排水弁装置６０に隣接して設けられる。また、オーバーフロー管７０は、タンク本体２０内に上下方向に沿って延設される。そして、オーバーフロー管７０は、上端側に流入口７１が形成される一方、下端側は排水口１３と連通される。従って、オーバーフロー管７０は、タンク本体２０内において満水水位を超えた洗浄水を流入口７１へ溢水させ、排水口１３を介して便器２へ排出する。
【００４４】
＜３．タンク本体＞
次に、タンク本体２０について詳しく説明する。図１および図２に示すように、タンク本体２０は、直方体状に形成される。例えば、タンク本体２０は、左右方向の長さ（幅）が前後方向の長さ（奥行）に比べて長い直方体状に形成される。
【００４５】
具体的には、図２に示すように、タンク本体２０は、底面２１と、側壁２２と、外壁２３とを備える。そして、タンク本体２０は、底面２１と側壁２２とによって囲まれる空間に洗浄水を貯留する。
【００４６】
底面２１には、上記した凹部２５が形成される。凹部２５は、底面２１から下方に向けて凹むような形状とされる。また、凹部２５は、底面２１において、排水口１３と側壁２２との間に形成される。詳しくは、凹部２５は、底面２１において側壁２２付近に形成される、言い換えると、底面２１において側壁２２に隣接して形成される。
【００４７】
また、凹部２５は、円柱状に形成されるが、これに限定されるものではなく、例えば角柱状などその他の形状であってもよい。かかる凹部２５には、上記した給水装置４０の給水口４４が配置される。詳しくは、凹部２５の底面２５ａ付近には、給水装置４０の給水口４４が配置される。従って、給水装置４０からの洗浄水は、給水口４４を介して凹部２５に給水されることとなる。
【００４８】
側壁２２は、底面２１の端部から連続するとともに、底面２１の端部から上方へ向けて延在するように形成される。なお、タンク本体２０は、外壁２３を備えることから、側壁２２は内壁であるともいえる。
【００４９】
ところで、上記したように、給水装置４０の給水口４４がタンク本体２０の底面２１付近（正確には凹部２５の底面２５ａ付近）に配置されると、給水口４４から供給された洗浄水は側壁２２へ向けて流れ、側壁２２に衝突する。このとき、側壁２２の形状によっては、衝突の影響によりタンク本体２０内の洗浄水に乱れが生じ、水面Ａに比較的大きな揺れが発生するおそれがある。
【００５０】
タンク本体２０内の水面Ａに比較的大きな揺れが発生すると、例えば、給水装置４０のフロート４３が上下に揺動し、これによって給水装置４０は、タンク本体２０内の水位を精度良く所定の水位（止水水位）ＷＬ１で止水することができず、タンク本体２０内において所望の水量を確保できないおそれがある。
【００５１】
そこで、本実施形態に係るタンク本体２０にあっては、タンク本体２０内の洗浄水の水面Ａにおける揺れの発生を抑制することができるような構成とした。
【００５２】
以下、かかる構成について詳しく説明すると、側壁２２は、上方側壁２２ａと、下方側壁２２ｂとを備える。上方側壁２２ａは、上下方向に延在する側壁２２において上方側に位置される。下方側壁２２ｂは、側壁２２において下方側に位置される。具体的には、下方側壁２２ｂは、上方側壁２２ａの下方に連続するように設けられる。
【００５３】
そして、上方側壁２２ａと下方側壁２２ｂとは、鉛直方向（Ｚ軸方向）に対する傾斜角が互いに異なるように形成される。例えば、下方側壁２２ｂは、底面２１側から上方側壁２２ａへ向かうにつれて、上方側壁２２ａより外方へ傾斜するように形成される。言い換えると、下方側壁２２ｂは、上方側壁２２ａより外傾斜するように形成される。
【００５４】
具体的には、下方側壁２２ｂは、鉛直方向に対する外方（図２の例では左方）への傾斜角βが、上方側壁２２ａの傾斜角αより大きくなるように形成される（β＞α）。
【００５５】
本実施形態にあっては、下方側壁２２ｂが上記のように構成されることで、タンク本体２０内の洗浄水の水面Ａにおける揺れの発生を抑制することができる。これについて図３を参照して説明する。図３は、下方側壁２２ｂ付近を拡大して示す図である。
【００５６】
ここでは先ず、図３に想像線で示すように、下方側壁２２ｂを備えない構成の側壁１２２について説明する。かかる場合、給水装置４０の給水口４４から供給された洗浄水は、矢印Ｄ１で示すように、凹部２５から上方へ向けて流れ出す。そして、凹部２５は側壁１２２付近に形成されることから、凹部２５から流れ出た洗浄水は、側壁１２２へ向けて流れることとなる（矢印Ｄａ参照）。
【００５７】
側壁１２２は、下方側壁２２ｂを備えず、洗浄水の流れ方向（矢印Ｄａ）に対して、略直交するような傾斜角を有する形状であることから、洗浄水が側壁１２２に衝突したとき、タンク本体２０内の洗浄水に大きな乱れが生じ、結果として水面Ａに比較的大きな揺れが発生してしまうおそれがある。
【００５８】
これに対し、本実施形態に係る側壁２２にあっては、下方側壁２２ｂが上方側壁２２ａより外方へ傾斜するように形成されることから、図３に矢印Ｄ２で示すように、凹部２５から流れ出た洗浄水は、下方側壁２２ｂに沿ってタンク本体２０の上方へ流れることとなる。その後、上方へ流れる洗浄水は、上方側壁２２ａにおいても上方側壁２２ａに沿って流れることとなる（矢印Ｄ３参照）。
【００５９】
このように、本実施形態にあっては、下方側壁２２ｂを設けることで、洗浄水は、側壁２２に強く衝突しにくく、また、上方へ向けてスムーズに流れるようにすることができる。これにより、本実施形態においては、タンク本体２０内の洗浄水の水面Ａにおける揺れの発生を抑制することができる。
【００６０】
また、タンク本体２０内の水面Ａの揺れが抑制されることで、例えば、給水装置４０のフロート４３が上下に揺動しにくく、よって給水装置４０は、タンク本体２０内の水位を精度良く所定の水位（止水水位）ＷＬ１で止水することができ、タンク本体２０内において所望の水量を確保することが可能となる。
【００６１】
図２の説明に戻ると、下方側壁２２ｂは、例えば、タンク本体２０内の死水水位ＷＬ２以下の位置に設けられる。詳しくは、下方側壁２２ｂは、タンク本体２０内の死水水位ＷＬ２より下方の位置に設けられる。言い換えると、下方側壁２２ｂは、上方側壁２２ａとの境界２２ｃが、死水水位ＷＬ２以下、詳しくは、死水水位ＷＬ２より下方になるように設けられる。
【００６２】
これにより、タンク本体２０の大きさ（例えば横幅）を変更することなく、水面Ａにおける揺れの発生を抑制することができる。詳しく説明すると、例えば、タンク本体２０において、止水水位ＷＬ１から死水水位ＷＬ２までの領域は、便器洗浄に必要な洗浄水の水量に相当する。そのため、例えば仮に、死水水位ＷＬ２より上方に下方側壁２２ｂが設けられると、上方側壁２２ａより外方へ傾斜している分だけ、タンク本体２０に貯留できる水量が減ってしまう。従って、便器洗浄に必要な洗浄水の水量を確保するには、タンク本体２０の横幅を大きくしたり、高さを高くしたりするなどタンク本体２０の大きさの変更が必要になるおそれがある。
【００６３】
これに対し、本実施形態にあっては、下方側壁２２ｂが、タンク本体２０内の死水水位ＷＬ２以下の位置に設けられるようにした、すなわち、便器洗浄に必要な水量に相当する止水水位ＷＬ１から死水水位ＷＬ２までの領域とは異なる領域に設けられるようにした。死水水位ＷＬ２以下の領域の洗浄水は、便器洗浄に用いられないことから、下方側壁２２ｂを設けて水量が減っても、便器洗浄への影響はない、あるいはほとんどなく、よってタンク本体２０の大きさを変更することなく、水面Ａにおける揺れの発生を抑制することができる。
【００６４】
なお、上記では、下方側壁２２ｂが死水水位ＷＬ２以下の位置に設けられるように構成したが、これに限定されるものではなく、例えば下方側壁２２ｂの一部（例えば上方側壁２２ａと連続する上端部分）が死水水位ＷＬ２より上方の位置に設けられてもよい。
【００６５】
外壁２３は、上方側壁２２ａおよび下方側壁２２ｂを覆うように設けられる。詳しくは、外壁２３は、上下方向に延在するように形成され、上方側壁２２ａおよび下方側壁２２ｂを中空部２６を介して側方から覆うように設けられる。
【００６６】
外壁２３は、例えば、外方に突出するように湾曲した形状とされる。なお、図２に示す外壁２３の形状は、あくまでも例示であって限定されるものではなく、任意に変更することができる。
【００６７】
これにより、タンク本体２０において、デザイン性が低下することを抑制することができる。すなわち、側壁２２が、傾斜角の異なる上方側壁２２ａと下方側壁２２ｂとから構成されると、タンク本体２０の見栄えが悪化するおそれがある。本実施形態では、かかる上方側壁２２ａおよび下方側壁２２ｂが外壁２３に覆われることで、上方側壁２２ａおよび下方側壁２２ｂは外観上見えなくなり、よってタンク本体２０において、デザイン性が低下することを抑制することができる。
【００６８】
なお、上記では、外壁２３は、上方側壁２２ａおよび下方側壁２２ｂの両方を覆うようにしたが、これに限られず、上方側壁２２ａおよび下方側壁２２ｂのいずれか一方を覆うようにしてもよい。
【００６９】
上述してきたように、実施形態に係るタンク装置１０は、タンク本体２０と、給水装置４０とを備える。タンク本体２０は、便器（便器本体）２に供給される洗浄水を貯留する。給水装置４０は、タンク本体２０に洗浄水を供給する給水口４４がタンク本体２０の底面２１付近に配置される。また、タンク本体２０は、上方側壁２２ａと、上方側壁２２ａの下方に設けられるとともに、底面２１側から上方側壁２２ａへ向かうにつれて上方側壁２２ａより外方へ傾斜するように形成される下方側壁２２ｂとを備える。
【００７０】
これにより、タンク本体２０内の洗浄水の水面Ａにおける揺れの発生を抑制することができる。
【００７１】
＜４．変形例＞
次に、変形例について説明する。なお、以下の説明では、既に説明した部分と同様の部分については、既に説明した部分と同一の符号を付し、重複する説明を省略する。
【００７２】
上記した実施形態において、下方側壁２２ｂは、底面２１側から上方側壁２２ａに至るまで同じ傾斜角となるように形成されるが、これに限定されるものではない。すなわち、変形例では、下方側壁２２ｂは、底面２１側から上方側壁２２ａに至るまでに、異なる傾斜角の部位が形成されるようにした。
【００７３】
図４は、変形例に係る下方側壁２２ｂ付近を拡大して示す図である。図４に示すように、下方側壁２２ｂは、第１下方側壁２２ｂ１と、第２下方側壁２２ｂ２とを備える。
【００７４】
第１下方側壁２２ｂ１は、上方側壁２２ａの下方に連続して設けられる。第２下方側壁２２ｂ２は、第１下方側壁２２ｂ１の下方に連続して設けられる。
【００７５】
そして、第１下方側壁２２ｂ１と第２下方側壁２２ｂ２とは、鉛直方向（Ｚ軸方向）に対する傾斜角が互いに異なるように形成される。例えば、第２下方側壁２２ｂ２は、底面２１側から第１下方側壁２２ｂ１へ向かうにつれて、第１下方側壁２２ｂ１より外方へ傾斜するように形成される。言い換えると、第２下方側壁２２ｂ２は、第１下方側壁２２ｂ１より外傾斜するように形成される。
【００７６】
具体的には、第２下方側壁２２ｂ２は、鉛直方向に対する外方（図４の例では左方）への傾斜角β２が、第１下方側壁２２ｂ１の傾斜角β１より大きくなるように形成される（β２＞β１）。
【００７７】
変形例にあっては、第１下方側壁２２ｂ１および第２下方側壁２２ｂ２が上記のように構成されることで、タンク本体２０内の洗浄水の水面Ａにおける揺れの発生を抑制することができる。
【００７８】
すなわち、給水装置４０の給水口４４から供給された洗浄水は、矢印Ｄ１１で示すように、凹部２５から上方へ向けて流れ出す。そして、矢印Ｄ１２で示すように、凹部２５から流れ出た洗浄水は、第１下方側壁２２ｂ１および第２下方側壁２２ｂ２に沿って流れ、これにより流れ方向が徐々に上方へ向くようにして、タンク本体２０の上方へ流れることとなる。その後、上方へ流れる洗浄水は、上方側壁２２ａにおいても上方側壁２２ａに沿って流れることとなる（矢印Ｄ１３参照）。
【００７９】
このように、変形例にあっては、第１、第２下方側壁２２ｂ１，２２ｂ２を設けることで、洗浄水は、側壁２２に強く衝突しにくく、また、上方へ向けてよりスムーズに流れるようにすることができる。これにより、変形例においては、タンク本体２０内の洗浄水の水面Ａにおける揺れの発生をより抑制することができる。
【００８０】
なお、上記した実施形態および変形例において、上方側壁２２ａは、鉛直方向に対して外方へ傾斜するようにした（図２の例で傾斜角α傾斜するようにした）が、これに限られず、例えば、鉛直方向に沿うように形成されてもよい。言い換えると、上方側壁２２ａは、鉛直方向に対して平行あるいは略平行で、外方へ傾斜しないように形成されてもよい。
【００８１】
また、上記では、タンク本体２０において、左右方向の側壁２２に上方側壁２２ａと下方側壁２２ｂとが形成されるようにしたが、これに限られず、左右方向の側壁２２に加えて、あるいは代えて、前後方向の側壁２８（図２参照）に上方側壁と下方側壁とが形成されるようにしてもよい。
【００８２】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００８３】
１  水洗大便器
２  便器
１０  タンク装置
２０  タンク本体
２１  底面
２２ａ  上方側壁
２２ｂ  下方側壁
２２ｂ１  第１下方側壁
２２ｂ２  第２下方側壁
４０  給水装置
４４  給水口
【図１】
2020026689.tif 000003
【図２】
2020026689.tif 000004
【図３】
2020026689.tif 000005
【図４】
2020026689.tif 000006